(57)【要約】【課題】重量の異なる複数の仕様の蓋体に、それぞれの蓋体に対応したばね部材を採用することにより、蓋体の開閉操作性の向上を図る洗濯機を提供することを目的とする。【解決手段】上部枠体３０は、仕様の異なる複数の蓋体が軸支可能であるとともに、軽量の蓋体を軸支する際には、一方の固定側ばね保持部と軽量蓋体との間に軽量用のばね部材を配設し、重量の蓋体４０を軸支する際には、第１固定側ばね保持部４４と重量の蓋体４０との間に重量用の第１ばね部材４６を、第２固定側ばね保持部５４と重量の蓋体４０との間に重量用の第２ばね部材５６を配設することにより、重量の軽い蓋体であっても重量が重い蓋体であっても、違和感無く、スムーズな開閉動作を行なうことができる。また、それぞれのばね部材は、他方の固定側ばね保持部への装着を不可とする構成とすることにより、組み立て間違いを防止することができる。【選択図】図２
2016137033.tif 000002
【特許請求の範囲】
【請求項１】
筐体内部に防振支持される水槽と、前記筐体に設けられる衣類投入口を開閉自在に覆う蓋体と、前記蓋体を開状態と閉状態に保持するばね部材とを備え、前記筐体は、重量の異なる複数種類の前記蓋体が軸支可能であるとともに、前記ばね部材を取り付ける一対の固定側ばね保持部を有し、軽量の前記蓋体を軸支する際には、一方の固定側ばね保持部と前記軽量の蓋体との間に軽量用の前記ばね部材を架設し、重量の前記蓋体を軸支する際には、前記一対の固定側ばね保持部と前記重量の蓋体との間にそれぞれ重量用のばね部材を架設した洗濯機。
【請求項２】
前記一対の固定側ばね保持部に架設されるそれぞれの前記ばね部材は、他方の前記固定側ばね保持部への装着を不可とする構成とした請求項１記載の洗濯機。
【発明の詳細な説明】
【技術分野】
【０００１】
本発明は、衣類投入口などの開口部を開閉自在に覆う蓋体を有する洗濯機に関するものである。
【背景技術】
【０００２】
従来、この種の洗濯機は、蓋体を開状態と閉状態とに保持するために、蓋体と本体に形成したばね保持部との間にばね部材を設ける構成が提案されている（例えば、特許文献１参照）。
【０００３】
図７は、特許文献１に記載された従来の洗濯機の外観斜視図、図８は、同洗濯機の要部縦断面図である。
【０００４】
図７、図８において、筐体１２は、後部上面に、安全スイッチ（図示せず）や水位検知スイッチ（図示せず）等を取り付けて、後部上面をパネル１３により覆う構成とし、製品組み立て時に作業しやすく、また、部品交換等のサービス時に作業しやすいように構成している。
【０００５】
筐体１２には、軸部１４を設け、筐体１２の略中央部に設けた衣類投入口などの開口部（図示せず）を開閉自在に覆う蓋体１５に蓋軸部１６を構成しており、蝶番軸１７にて嵌合している。
【０００６】
ばね部材１８は、蓋体１５を開状態と閉状態とに保持するもので、ばね部材１８の固定側１８ａは、筐体１２に設けたばね押え部１９に保持し、可動側１８ｂを蓋体１５のストッパー部２０の近傍に設けたばね差し込み穴２１に差し込むよう構成している。ストッパー部２０は、蓋体１５が開状態の時、筐体１２に設けたストッパー当て部２２に当接し、蓋体１５の開角度を規制するものである。
【先行技術文献】
【特許文献】
【０００７】
【特許文献１】特開２００３−３２６０９２号公報
【発明の概要】
【発明が解決しようとする課題】
【０００８】
一般に、本体部分を共通化して、複数種類の使用の蓋体を選択的に装着することを行なわれている。例えば、ガラス板や他の装飾部品を用いた蓋体と、すべて樹脂で成形されて簡素化した構成とした蓋体を選択的に装着することが行われている。ガラス板や他の装飾部品を用いた蓋体は、重量が重く簡素化した構成とした蓋体は軽量となる。
【０００９】
しかしながら、前記従来の構成では、重量の異なる蓋体の開状態や閉状態を保持するためのばね部材を共通のばね部材を用いているために、開状態の保持、あるいは閉状態の保持が適切に行なわれないという課題があった。
【００１０】
本発明は、前記従来の課題を解決するもので、重量の異なる複数の仕様の蓋体に、それぞれの蓋体に対応したばね部材を採用することにより、蓋体の開閉操作性の向上を図る洗濯機を提供することを目的とする。
【課題を解決するための手段】
【００１１】
前記従来の課題を解決するために、本発明の洗濯機は、筐体内部に防振支持される水槽と、前記筐体に設けられる衣類投入口を開閉自在に覆う蓋体と、前記蓋体を開状態と閉状態に保持するばね部材とを備え、前記筐体は、重量の異なる複数種類の前記蓋体が軸支可能であるとともに、前記ばね部材を取り付ける一対の固定側ばね保持部を有し、軽量の前記蓋体を軸支する際には、一方の固定側ばね保持部と前記軽量の蓋体との間に軽量用の前記ばね部材を架設し、重量の前記蓋体を軸支する際には、前記一対の固定側ばね保持部と前記重量の蓋体との間にそれぞれ重量用のばね部材を架設したものである。
【発明の効果】
【００１２】
本発明の洗濯機は、質量の異なる各種の蓋体に対して、それぞれに対応したばね部材を採用することにより、蓋体の開閉操作性の向上を図ることができる。
【図面の簡単な説明】
【００１３】
【図１】本発明の実施の形態における洗濯機の縦断面図
【図２】同洗濯機の平面図
【図３】同洗濯機の第１の蓋体取付部の要部縦断面図
【図４】同洗濯機の第１の蓋体取付部の要部平面図
【図５】同洗濯機の第２の蓋体取付部の要部縦断面図
【図６】同洗濯機の第２の蓋体取付部の要部平面図
【図７】従来の洗濯機の外観斜視図
【図８】同洗濯機の要部縦断面図
【発明を実施するための形態】
【００１４】
第１の発明は、筐体内部に防振支持される水槽と、前記筐体に設けられる衣類投入口を開閉自在に覆う蓋体と、前記蓋体を開状態と閉状態に保持するばね部材とを備え、前記筐体は、重量の異なる複数種類の前記蓋体が軸支可能であるとともに、前記ばね部材を取り付ける一対の固定側ばね保持部を有し、軽量の前記蓋体を軸支する際には、一方の固定側ばね保持部と前記軽量の蓋体との間に軽量用の前記ばね部材を架設し、重量の前記蓋体を軸支する際には、前記一対の固定側ばね保持部と前記重量の蓋体との間にそれぞれ重量用のばね部材を架設したものである。
【００１５】
これによって、重量の軽い蓋体であっても重量が重い蓋体であっても、違和感無く、スムーズな開閉動作を行なうことができる。
【００１６】
また、一対のばね部材の組み立て間違いを抑制することができる。
【００１７】
以下、発明の実施の形態について、図面を参照しながら説明する。また、この実施の形態によって本発明が限定されるものではない。
【００１８】
（実施の形態１）
図１は、本発明の実施の形態における洗濯機の縦断面図である。
【００１９】
図１において，筐体３１は，内部に複数のサスペンション３２によって外槽３３を弾性的に吊り下げている。洗濯・脱水軸３４は中空で２軸構造としている。洗濯兼脱水槽３５は側壁に多数の脱水孔（図示せず）を有するとともに、内周の上部に振動低減用の流体バランサ３６を有し，中央底部には外周を傾斜面としたナベ型の形状に形成した衣類攪拌用のパルセータ３７が配設されている。
【００２０】
伝達機構部３８は、内部に洗濯時の減速ギア（図示せず）を内蔵している。モータ３９は外槽３３の底部に取り付けられ，伝達機構部３８を介し，パルセータ３７，及び洗濯兼
脱水槽３５を回転させる。
【００２１】
筐体３１の上部には、上部枠体３０を載設し、上部枠体３０の前部には、各種の入力設定を行ない、設定内容を表示する操作表示部４２を配設している。そして、操作表示部６７の内方には、制御装置４３が収設されている。上部枠体３０の後部には、後述するばね４６などの部品が取り付けられ、上部枠体３０の後部全体を覆うようにパネル４１が設けられている。
【００２２】
また、上部枠体３０の略中央部には衣類投入口４８が形成され、衣類投入口４８を覆うように蓋体４０が開閉自在に設けられている。なお、蓋体４０は、詳細な図示は省略するが、ガラス板や他の装飾部品を用いた重量の重い形状となっている。
【００２３】
図２は、本発明の実施の形態における洗濯機の平面図、図３は、同洗濯機の第１の蓋体取付部の要部縦断面図、図４は、同洗濯機の第１の蓋体取付部の要部平面図、図５は、同洗濯機の第２の蓋体取付部の要部縦断面図、図６は、同洗濯機の第２の蓋体取付部の要部平面図で、図２、図４、図６はパネル４１を外した状態を示すものである。
【００２４】
図２において、蓋体４０は、軸部４７（図３参照）、軸部５７（図５参照）にて上部枠体３０に軸支されている。
【００２５】
上部枠体３０の後部右側には、第１固定側ばね保持部４４が形成され、蓋体４０に設けた第１ばね保持部４５との間に第１ばね部材４６が取り付けられている。また、上部枠体３０の後部左側には、第２固定側ばね保持部５４が形成され、蓋体４０に設けた第２ばね保持部５５との間に第２ばね部材５６が取り付けられている。そして、第１ばね部材４６、第２ばね部材５６により、蓋体４０を開状態あるいは閉状態に保持するようになっている。
【００２６】
図３、図４において、第１ばね部材４６は、第１固定側ばね保持部４４に上方より嵌合され、第１ばね保持部４５に横方より差し込まれて取り付けられており、蓋体４０がある角度以下（反転角度とする）の場合には、例えば、３１°以下の場合に、蓋体４０を閉じる方向に、３１°以上の場合には蓋体４０を開く方向に第１ばね部材４６の力が作用する構成となっている。
【００２７】
図５、図６において、第２ばね部材５６は、第２固定側ばね保持部５４に上方より嵌合され、第２ばね保持部５５に横方より差し込まれて取り付けられており、蓋体４０がある角度以下（反転角度とする）の場合には、例えば、１２°以下の場合に、蓋体４０を閉じる方向に、１２°以上の場合には、蓋体４０を開く方向に第２ばね部材５６の力が作用する構成となっている。また、第１ばね部材４６と第２ばね部材５６は、本実施の形態ではねじりばねを用いており、ねじりばねの巻方向が第１ばね部材４６と第２ばね部材５６とで逆方向にしており、第１ばね部材４６と第２ばね部材５６との共用はできないようにしている。
【００２８】
以上のように構成された洗濯機において、以下に動作、作用を説明する。
【００２９】
蓋体４０は、重量が重いため、これを１個のばね部材で開閉の補助をしようとすると、ばね定数が非常に強いばね部材にしなければならず、１箇所のばね保持部で支えようとすると周囲部品の破損・変形を招く恐れがある。
【００３０】
しかしながら、洗濯機右側に装着される第１ばね部材４６及び洗濯機左側に装着される第２ばね部材５６の二つのばね部材により蓋体４０を支持する構成することにより、上部
枠体３０や蓋体４０などに部品の破損・変形を発生させる虞を抑制できる。
【００３１】
また、洗濯機の左右いずれか一方にのみに装着したばね部材により蓋体４０を支持する構成の場合には、蓋体４０を開閉する際に蓋体４０が捩じれるような感覚が伴うが、蓋体４０を第１ばね部材４６と第２ばね部材５６により支持する構成とすることにより、上述の違和感は生じず、スムーズな開閉動作ができる。
【００３２】
また、第１ばね部材４６と第２ばね部材５６の形状を変えることにより、生産ラインで組み立てする場合に、第１ばね部材４６と第２ばね部材５６とを付け間違うことがなく、生産ラインでの作業者による組み立て間違いを防止することができる。
【００３３】
また、本実施の形態では、ガラス板や他の装飾部品を用いた重量が重い蓋体４０に対して、第１ばね部材４６及び第２ばね部材５６の一対のばね部材を装着して、蓋体４０の開閉をスムーズに行なうようにしたが、すべて樹脂で部品も簡素化した軽量の蓋体を取り付ける仕様の洗濯機とする場合には、左右どちらか一方のみのばね保持部に、軽量の蓋体に適した仕様のばね部材を使用することにより、スムーズな蓋体開閉を行なうことができる。
【００３４】
以上のように、本実施の形態においては、上部枠体３０は、仕様の異なる複数の蓋体が軸支可能であるとともに、軽量の蓋体を軸支する際には、一方の固定側ばね保持部と軽量蓋体との間に軽量用のばね部材を配設し、重量の蓋体４０を軸支する際には、第１固定側ばね保持部４４と重量の蓋体４０との間に重量用の第１ばね部材４６を、第２固定側ばね保持部５４と重量の蓋体４０との間に重量用の第２ばね部材５６を配設し、かつ、第１ばね部材４６と第２ばね部材５６は共用不可とする構成とすることにより、質量の軽い蓋体であっても、質量の重い蓋体であっても、違和感無く、スムーズな開閉動作を行なうことができる。また、一対のばね部材の組み立て間違いを防止することができる。
【産業上の利用可能性】
【００３５】
以上のように、本発明にかかる洗濯機は、質量が重い蓋体であっても、スムーズな開閉動作ができるので、蓋体を有する他の電化機器の用途に適用できる。
【符号の説明】
【００３６】
３０  上部枠体
３１  筐体
３３  外槽
３５  洗濯兼脱水槽
３７  パルセータ
３９  モータ
４０  蓋体
４４  第１固定側ばね保持部
４６  第１ばね部材
４８  衣類投入口
５４  第２固定側ばね保持部
５６  第２ばね部材
【図１】
2016137033.tif 000003
【図２】
2016137033.tif 000004
【図３】
2016137033.tif 000005
【図４】
2016137033.tif 000006
【図５】
2016137033.tif 000007
【図６】
2016137033.tif 000008
【図７】
2016137033.tif 000009
【図８】
2016137033.tif 000010